(57)【特許請求の範囲】
【請求項１】
既に監視対象となっているポンプユニットである既監視ポンプユニットそれぞれについて、既監視ポンプユニット種類識別情報と当該既監視ポンプユニットが設置された河川系を識別する情報とが関連付けられて記憶されている記憶部と、
新たに監視対象とするポンプユニットである新監視ポンプユニットが設置された河川系を識別する情報を取得し、当該河川系を識別する情報を用いて前記記憶部を参照することにより、前記新監視ポンプユニットと同一の種類の既監視ポンプユニットであり、且つ前記新監視ポンプユニットが設置された河川系と同一の河川系にある既監視ポンプユニットを抽出する抽出部と、
を備える抽出システム。
【請求項２】
既に監視対象となっているポンプユニットである既監視ポンプユニットそれぞれについて、既監視ポンプユニット種類識別情報と当該既監視ポンプユニットが設置された河川系を識別する情報とが関連付けられて記憶されている記憶部と、
新たに監視対象とするポンプユニットである新監視ポンプユニットが設置された地域、山岳系または河川系を識別する情報を取得し、前記新監視ポンプユニットが設置された地域、前記新監視ポンプユニットが設置された山岳系、または前記新監視ポンプユニットが設置された河川系からの距離を基準に別の河川系を選択し、前記記憶部を参照して選択した別の河川系に設置され且つ前記新監視ポンプユニットと同一の種類の既監視ポンプユニットを抽出する抽出部と、
を備える抽出システム。
【請求項３】
前記記憶部には、前記既監視ポンプユニットそれぞれについて、既監視ポンプユニット種類識別情報と当該既監視ポンプユニットに含まれる原動機の出力を示す情報とが関連付けられて記憶されており、
前記新監視ポンプユニットに含まれる原動機の出力を示す情報を更に受け付ける入力部を備え、
前記抽出部は、前記入力部が受け付けた情報を用いて、前記新監視ポンプユニットと同一の種類の既監視ポンプユニットのうち、当該既監視ポンプユニットに含まれる原動機の出力と前記新監視ポンプユニットに含まれる原動機の出力の比較に応じて、優先して抽出する既監視ポンプユニットを決定する
請求項１または２に記載の抽出システム。
【請求項４】
前記抽出部は、前記入力部が受け付けた情報を用いて、前記新監視ポンプユニットと同一の種類の既監視ポンプユニットのうち、当該既監視ポンプユニットに含まれる原動機の出力が前記新監視ポンプユニットに含まれる原動機の出力に近いほど上位に、当該既監視ポンプユニットを順位付けする
請求項３に記載の抽出システム。
【請求項５】
複数の機器を含む新監視ポンプユニットの故障または異常を診断する診断システムであ
って、
前記機器の状態量を計測する計測器と、
請求項１から４のいずれか一項に記載の抽出システムによって抽出された既監視ポンプユニット種類識別情報で特定される既監視ポンプユニットにおいて計測された状態量の計測データまたは当該状態量同士の相関と、前記計測器において計測された状態量または当該状態量同士の相関とを用いて、前記新監視ポンプユニットの故障または異常を判定する判定部と、
を備える診断システム。
【請求項６】
抽出部が、新たに監視対象とする新監視ポンプユニットが設置された河川系を識別する情報を取得するステップと、
抽出部が、当該河川系を識別する情報を用いて、既監視ポンプユニットそれぞれについて、既監視ポンプユニット種類識別情報と当該既監視ポンプユニットが設置された河川系を識別する情報とが関連付けられて記憶されている記憶部を参照することにより、前記新監視ポンプユニットと同一の種類の既監視ポンプユニットであり、且つ前記新監視ポンプユニットが設置された河川系と同一の河川系にある既監視ポンプユニットを抽出するステップと、
を有する抽出方法。
【請求項７】
抽出部が、新たに監視対象とする新監視ポンプユニットが設置された地域、山岳系または河川系を識別する情報を取得するステップと、
抽出部が、前記新監視ポンプユニットが設置された地域、前記新監視ポンプユニットが設置された山岳系、または前記新監視ポンプユニットが設置された河川系からの距離を基準に別の河川系を選択し、既に監視対象となっているポンプユニットである既監視ポンプユニットそれぞれについて、既監視ポンプユニット種類識別情報と当該既監視ポンプユニットが設置された地域、山岳系または河川系を識別する情報とが関連付けられて記憶されている記憶部を参照して選択した別の河川系に設置され且つ前記新監視ポンプユニットと同一の種類の既監視ポンプユニットを抽出するステップと、
を有する抽出方法。
【請求項８】
既に監視対象となっているポンプユニットである既監視ポンプユニットそれぞれについて、既監視ポンプユニット種類識別情報と当該既監視ポンプユニットが設置された河川系を識別する情報とが関連付けられて記憶されている記憶部を参照可能なコンピュータを、
新たに監視対象とする新監視ポンプユニットが設置された河川系を識別する情報を取得し、当該河川系を識別する情報を用いて、前記記憶部を参照することにより、前記新監視ポンプユニットと同一の種類の既監視ポンプユニットであり、且つ前記新監視ポンプユニットが設置された河川系と同一の河川系にある既監視ポンプユニットを抽出する抽出部
として機能させるためのプログラム。
【請求項９】
既に監視対象となっているポンプユニットである既監視ポンプユニットそれぞれについて、既監視ポンプユニット種類識別情報と当該既監視ポンプユニットが設置された河川系を識別する情報とが関連付けられて記憶されている記憶部を参照可能なコンピュータを、
新たに監視対象とするポンプユニットである新監視ポンプユニットが設置された地域、山岳系または河川系を識別する情報を取得し、前記新監視ポンプユニットが設置された地域、前記新監視ポンプユニットが設置された山岳系、または前記新監視ポンプユニットが設置された河川系からの距離を基準に別の河川系を選択し、前記記憶部を参照して選択した別の河川系に設置され且つ前記新監視ポンプユニットと同一の種類の既監視ポンプユニットを抽出する抽出部
として機能させるためのプログラム。
【発明の詳細な説明】
【技術分野】
【０００１】
本発明は、抽出システム、診断システム、抽出方法及びプログラムに関する。
【背景技術】
【０００２】
ポンプ機場（ポンプ場ともいう）に設けられた従来の監視装置には、ポンプ機場に設けられた機器またはその機器の軸受等の主要部位の故障信号（温度異常上昇、振動他）を計測し、機器の異常または故障を検知した場合に通知する監視機能が設けられている（例えば、特許文献１参照）。なお、ここで示すポンプ機場（ポンプ場ともいう）とは、単一または複数のポンプユニットを含む設備のことであり、ポンプユニットとは、１台のポンプとそれを駆動する駆動機器（原動機、減速機）を含むものと定義する。
また、従来の監視装置の一部には、ポンプ機場に設けられた各機器の状態量（例えば、温度、圧力、水位、水量、電流値など）の時系列データの収集を行い、各機器の状態の変化を把握して劣化状態を判定する傾向監視機能を有しているものもある。
【先行技術文献】
【特許文献】
【０００３】
【特許文献１】特開２０００−６６７１９号公報
【発明の概要】
【発明が解決しようとする課題】
【０００４】
既設のポンプ機場にポンプユニットを増設する場合、新設のポンプ機場を建設する場合、または既設のポンプ機場に新たに監視装置を設ける場合などのように、監視対象とするポンプユニットを新たに増やす場合がある。このように監視対象とするポンプユニットを新たに増やす場合、監視当初は、新たに監視対象とするポンプユニットである新監視ポンプユニットが異常または故障した場合における状態量のデータなどが新監視ポンプユニットを監視する監視装置に蓄積されていない。このため、当該監視装置は個別の測定値が明らかに基準値を超えた際のみ故障検知できるが、各測定値の時間変化傾向の正常・異常の判別（ポンプユニットの異常発生の予兆）や、各々の測定値同士の相関関係の正常・異常の判別ができないという問題がある。
【０００５】
この問題に対して、既に監視対象となっているポンプユニットである既監視ポンプユニットが異常または故障した場合における状態量のデータなどを、新たに増設したポンプユニットを監視する監視装置に移植することが考えられる。しかしながら、既監視ポンプユニットの構成は多岐にわたるため、適切な既監視ポンプユニットのデータを移植しないと、監視装置が異常でないのに異常と検知したり、故障でないのに故障と検知したりする。このため、適切な既監視ポンプユニットを選択する必要がある。しかしながら、既監視ポンプユニットは多数あるので、適切な既監視ポンプユニットを探索するのは時間と労力がかかるという問題がある。
【０００６】
本発明は、上記問題に鑑みてなされたものであり、新たに監視対象とするポンプユニットの異常または故障を監視当初から検知することを可能とする抽出システム、診断システム、抽出方法及びプログラムを提供することを目的とする。
【課題を解決するための手段】
【０００７】
本発明の一態様にかかる抽出システムは、既に監視対象となっているポンプユニットである既監視ポンプユニットの種類を識別する既監視ポンプユニット種類識別情報が記憶されている記憶部と、新たに監視対象とするポンプユニットである新監視ポンプユニットについてポンプユニットの種類を識別する新監視ポンプユニット種類識別情報の入力を受け付ける入力部と、前記入力部が受け付けた新監視ポンプユニット種類識別情報を用いて、前記記憶部から、前記新監視ポンプユニットと同一の種類の既監視ポンプユニットを識別する既監視ポンプユニット種類識別情報を抽出する抽出部と、を備える。
【０００８】
これにより、新たに監視対象とする新監視ポンプユニットと同一の種類の既監視ポンプユニットを容易に抽出することができる。そして、抽出した既監視ポンプユニットの状態量の計測データまたは各状態量同士の相関係数を、新たに監視対象とするポンプユニットを監視する監視装置に移植することができる。これにより、当該監視装置では、既監視ポンプユニットにおいて計測された状態量の計測データまたは当該状態量同士の相関と、新監視ポンプユニットにおいて計測された状態量または当該状態量同士の相関とを用いて、新監視ポンプユニットの故障または異常を判定することができる。このため、新たに監視対象とするポンプユニットについて、実運転でのデータ蓄積を行わずとも、監視当初から新監視ポンプユニットの故障または異常を検知することができる。
【０００９】
本発明の一態様にかかる抽出システムにおいて、前記記憶部には、前記既監視ポンプユニットそれぞれについて、前記既監視ポンプユニット種類識別情報と当該既監視ポンプユニットが設置された河川系を識別する情報とが関連付けられて記憶されており、前記入力部は、前記新監視ポンプユニットが設置された河川系を識別する情報を受け付け、前記抽出部は、前記入力部が受け付けた情報を用いて前記記憶部を参照することにより、前記新監視ポンプユニットと同一の種類の既監視ポンプユニットであり、且つ前記新監視ポンプユニットが設置された河川系と同一の河川系にある既監視ポンプユニットを識別する既監視ポンプユニット種類識別情報を抽出する。
【００１０】
これにより、新監視ポンプユニットが設置された河川系と同一の河川系にある既監視ポンプユニットが抽出されるので、新監視ポンプユニットと運用条件がより近い既監視ポンプユニットを容易に抽出することができる。
【００１１】
本発明の一態様にかかる抽出システムにおいて、前記抽出部は、前記新監視ポンプユニットが設置された地域、前記新監視ポンプユニットが設置された山岳系、または前記新監視ポンプユニットが設置された河川系からの距離を基準に別の河川系を選択し、前記記憶部を参照して選択した別の河川系に設置され且つ前記新監視ポンプユニットと同一の種類の既監視ポンプユニットを識別する既監視ポンプユニット種類識別情報を抽出する。
【００１２】
これにより、新監視ポンプユニットが設置された河川系に距離が近い既監視ポンプユニットが抽出されるので、新監視ポンプユニットと運用条件がより近い既監視ポンプユニットを容易に抽出することができる。
【００１３】
本発明の一態様にかかる抽出システムにおいて、前記記憶部には、前記既監視ポンプユニットそれぞれについて、前記既監視ポンプユニット種類識別情報と当該既監視ポンプユニットに含まれる原動機の出力を示す情報とが関連付けられて記憶されており、前記入力部は、前記新監視ポンプユニットに含まれる原動機の出力を示す情報を更に受け付け、前記抽出部は、前記入力部が受け付けた情報を用いて、前記新監視ポンプユニットと同一の種類の既監視ポンプユニットのうち、当該既監視ポンプユニットに含まれる原動機の出力と前記新監視ポンプユニットに含まれる原動機の出力の比較に応じて、優先して抽出する既監視ポンプユニット種類識別情報を決定する。
【００１４】
これにより、例えば、新監視ポンプユニットに含まれる原動機の出力に近い出力を有する原動機を含む既監視ポンプユニットが優先して抽出されるので、新監視ポンプユニットと原動機の出力がより近い既監視ポンプユニットを容易に抽出することができる。
【００１５】
本発明の一態様にかかる抽出システムにおいて、前記抽出部は、前記入力部が受け付けた情報を用いて、前記新監視ポンプユニットと同一の種類の既監視ポンプユニットのうち、当該既監視ポンプユニットに含まれる原動機の出力が前記新監視ポンプユニットに含まれる原動機の出力に近いほど上位に、当該既監視ポンプユニットを順位付けする。
【００１６】
これにより、既監視ポンプユニットに含まれる原動機の出力が新監視ポンプユニットに含まれる原動機の出力に近いほど上位に、当該既監視ポンプユニットを順位付けされるので、新監視ポンプユニットと原動機の出力がより近い既監視ポンプユニットを容易に抽出することができる。
【００１７】
本発明の一態様にかかる診断システムは、複数の機器を含む新監視ポンプユニットの故障または異常を診断する診断システムであって、前記機器の状態量を計測する計測器と、上記に記載の抽出システムによって抽出された既監視ポンプユニット種類識別情報で特定される既監視ポンプユニットにおいて計測された状態量の計測データまたは当該状態量同士の相関と、前記計測器において計測された状態量または当該状態量同士の相関とを用いて、前記新監視ポンプユニットの故障または異常を判定する判定部と、を備える。
【００１８】
これにより、新たに監視対象とするポンプユニットについて、実運転でのデータ蓄積を行わずとも、監視当初から新監視ポンプユニットの故障または異常を検知することができる。
【００１９】
本発明の一態様にかかる抽出方法は、入力部が、新たに監視対象とするポンプユニットである新監視ポンプユニットについてポンプユニットの種類を識別する新監視ポンプユニット種類識別情報の入力を受け付けるステップと、抽出部が、前記入力部が受け付けた新監視ポンプユニット種類識別情報を用いて、既に監視対象となっているポンプユニットである既監視ポンプユニットの種類を識別する既監視ポンプユニット種類識別情報が記憶されている記憶部から、前記新監視ポンプユニットと同一の種類の既監視ポンプユニットを識別する既監視ポンプユニット種類識別情報を抽出するステップと、を有する。
【００２０】
これにより、新たに監視対象とする新監視ポンプユニットと同一の種類の既監視ポンプユニットを容易に抽出することができる。そして、抽出した既監視ポンプユニットの状態量データまたは各状態量同士の相関係数を、新たに監視対象とするポンプユニットを監視する監視装置に移植することができる。これにより、当該監視装置では、既監視ポンプユニットにおいて計測された状態量の計測データまたは当該状態量同士の相関と、新監視ポンプユニットにおいて計測された状態量または当該状態量同士の相関とを用いて、新監視ポンプユニットの故障または異常を判定することができる。このため、新たに監視対象とするポンプユニットについて、実運転でのデータ蓄積を行わずとも、監視当初から新監視ポンプユニットの故障または異常を検知することができる。
【００２１】
本発明の一態様にかかるプログラムは、コンピュータを、既に監視対象となっているポンプユニットである既監視ポンプユニットの種類を識別する既監視ポンプユニット種類識別情報が記憶されている記憶部と、新たに監視対象とするポンプユニットである新監視ポンプユニットについてポンプユニットの種類を識別する新監視ポンプユニット種類識別情報の入力を受け付ける入力部と、前記入力部が受け付けた新監視ポンプユニット種類識別情報を用いて、前記記憶部から、前記新監視ポンプユニットと同一の種類の既監視ポンプユニットを識別する既監視ポンプユニット種類識別情報を抽出する抽出部と、として機能させるためのプログラムである。
【００２２】
これにより、新たに監視対象とする新監視ポンプユニットと同一の種類の既監視ポンプユニットを容易に抽出することができる。そして、抽出した既監視ポンプユニットの状態量の計測データまたは各状態量同士の相関係数を、新たに監視対象とするポンプユニットを監視する監視装置に移植することができる。これにより、当該監視装置では、既監視ポンプユニットにおいて計測された状態量の計測データまたは当該状態量同士の相関と、新監視ポンプユニットにおいて計測された状態量または当該状態量同士の相関とを用いて、新監視ポンプユニットの故障または異常を判定することができる。このため、新たに監視対象とするポンプユニットについて、実運転でのデータ蓄積を行わずとも、監視当初から新監視ポンプユニットの故障または異常を検知することができる。
【発明の効果】
【００２３】
本発明によれば、新たに監視対象とする新監視ポンプユニットと同一の種類の既監視ポンプユニットを容易に抽出することができる。そして、抽出した既監視ポンプユニットの状態量の計測データまたは各状態量同士の相関係数を、新たに監視対象とするポンプユニットを監視する監視装置に移植することができる。これにより、当該監視装置では、既監視ポンプユニットにおいて計測された状態量の計測データまたは当該状態量同士の相関と、新監視ポンプユニットにおいて計測された状態量または当該状態量同士の相関とを用いて、新監視ポンプユニットの故障または異常を判定することができる。このため、新たに監視対象とするポンプユニットについて、実運転でのデータ蓄積を行わずとも、監視当初から新監視ポンプユニットの故障または異常を検知することができる。
【図面の簡単な説明】
【００２４】
【図１】既に監視対象となっているポンプユニットを有するポンプ機場１００の構成の一例を示す模式図である。
【図２】新たに監視対象となっているポンプユニットを有するポンプ機場２００の構成の一例を示す模式図である。
【図３】監視装置１１１から監視装置２１１へのデータ移植を示す概念図である。
【図４】監視装置２１１の構成を示す概略ブロック図である。
【図５】本実施形態に係る抽出装置１の構成を示す概略ブロック図である。
【図６】ポンプユニットの種類を示す図である。
【図７】同一の河川系、１番目に近い河川系及び２番目に近い河川系の模式図の一例である。
【図８】入力部１３が受け付ける情報の一例である。
【図９】記憶部１１に記憶されているテーブルＴ１の一例である。
【図１０】記憶部１１に記憶されているテーブルＴ２の一例である。
【図１１】第１の実施形態に係る抽出装置１の動作の一例を示すフローチャートである。
【図１２】図１１の処理の結果の一例を示す表である。
【図１３】第２の実施形態に係る抽出装置１の動作の一例を示すフローチャートである。
【図１４】図１３の処理の結果の一例を示す表である。
【発明を実施するための形態】
【００２５】
以下、各実施形態について、図面を参照しながら説明する。一例として各実施形態において、ポンプユニットの種類は、ポンプ軸形式（例えば、立軸、横軸）、原動機の種類（例えば、ディーゼル機関、ガスタービン、電動機）及び減速機の有無の組合せで決定される。このため、各実施形態においてポンプユニットが同一の種類とは一例として、ポンプ軸形式、原動機の種類及び減速機の有無の組み合わせが同一あるものとする。ポンプ機場によっては、複数のポンプユニットを有しており、必ずしも１つの類似のポンプ機場からデータを移植する必要は無い。そこで、各実施形態における監視装置は、ポンプ機場毎では無く、ポンプユニット毎に移植対象となるデータの集計を行う。
【００２６】
（第１の実施形態）
図１は、既に監視対象となっているポンプユニットを有するポンプ機場１００の構成の一例を示す模式図である。図１に示すように、ポンプ機場１００は、ポンプユニット１０７、吸込水槽ＳＴ１、吐出水槽ＤＴ１、冷却塔１０６、及び診断システム１１０を備える。図１におけるポンプユニット１０７は、ディーゼル機関１０１、ディーゼル機関１０１の出力軸と接続された減速機１０２、及び減速機１０２と接続され吸込口が吸込水槽ＳＴ１に設置され且つ吐出口が吐出水槽ＤＴ１に設置された縦軸斜流ポンプ１０３を備える。縦軸斜流ポンプ１０３には、水流の遮断や吐出流量を調節する吐出弁１０４と、吸込口に設けられた逆流防止弁１０５とが設けられている。
【００２７】
診断システム１１０は、図１におけるポンプユニット１０７の故障または異常を診断する。診断システム１１０は、監視装置１１１、表示装置１１２、ディーゼル機関の温度を計測する温度計ＴＳ１、減速機の軸受温度を計測する温度計ＴＳ２、及び吐出圧力を計測する圧力計ＰＳ１を備える。
監視装置１１１は、温度計ＴＳ１、温度計ＴＳ２、圧力計ＰＳ１によって計測された状態量を示すデータを監視し、ポンプユニット１０７を構成する機器（すなわちディーゼル機関１０１、減速機１０２、または縦軸斜流ポンプ１０３）の故障または異常を判定する。
表示装置１１２は、監視装置１１１と接続され、監視装置１１１が判定して得られた結果を表示する。
【００２８】
なお、温度計ＴＳ１、温度計ＴＳ２、圧力計ＰＳ１は一例であって、これに限ったものではない。診断システム１１０は、ポンプユニット１０７に含まれる機器の状態量または吸込水槽ＳＴ１もしくは吐出水槽ＤＴ１の水位を計測する計測器を備えていればよい。
【００２９】
図２は、新たに監視対象となっているポンプユニット２０７を有するポンプ機場２００の構成の一例を示す模式図である。図２に示すように、ポンプ機場２００は、ポンプユニット２０７、吸込水槽ＳＴ２、吐出水槽ＤＴ２、ラジエータ２０６、及び診断システム２１０を備える。図２におけるポンプユニット２０７は、ディーゼル機関２０１、ディーゼル機関２０１の出力軸と接続された減速機２０２、及び減速機２０２と接続され吸込口が吸込水槽ＳＴ２に設置され且つ吐出口が吐出水槽ＤＴ２に設置された縦軸斜流ポンプ２０３を備える。このため図２におけるポンプユニットは、図１のポンプユニットと同一の種類である。縦軸斜流ポンプ２０３には、水流の遮断や吐出流量を調節する吐出弁２０４と、吸込口に設けられた逆流防止弁２０５とが設けられている。
【００３０】
診断システム２１０は、図２におけるポンプユニット２０７の故障または異常を診断する。診断システム２１０は、監視装置２１１、表示装置２０２、ディーゼル機関の温度を計測する温度計ＴＳ３、減速機の軸受温度を計測する温度計ＴＳ４、及び吐出圧力を計測する圧力計ＰＳ２を備える。
監視装置２１１は、温度計ＴＳ３、温度計ＴＳ４、圧力計ＰＳ２によって計測された状態量を示すデータを監視し、ポンプユニット２０７を構成する機器（すなわちディーゼル機関２０１、減速機２０２、または縦軸斜流ポンプ２０３）の故障または異常を判定する。
表示装置２０２は、監視装置２１１と接続され、監視装置２１１が判定して得られた結果を表示する。
【００３１】
なお、温度計ＴＳ３、温度計ＴＳ４、圧力計ＰＳ２は一例であって、これに限ったものではない。診断システム２１０は、ポンプユニット２０７に含まれる機器の状態量または吸込水槽ＳＴ２もしくは吐出水槽ＤＴ２の水位を計測する計測器を備えていればよい。
【００３２】
上述したように、図１のポンプユニット１０７と、図２のポンプユニット２０７とは同一の種類である。このため、図３に示すように、図１のポンプユニット１０７において計測された状態量の計測データまたは当該状態量同士の相関を、監視装置１１１から監視装置２１１へ移植することを想定する。この場合、監視装置２１１は、図１のポンプユニット１０７において計測された状態量の計測データまたは当該状態量同士の相関と、図２のポンプユニット２０７において計測された状態量または当該状態量同士の相関とを用いて、図２のポンプユニット２０７の故障または異常を判定することができる。
【００３３】
図４は、監視装置２１１の構成を示す概略ブロック図である。図４に示すように、監視装置２１１は、記憶部２２１、ＲＡＭ（Random Access Memory）２２２、入力部２２３、及びＣＰＵ（Central Processing Unit）２２４を備える。各部は、互いにバスを介して接続されている。
記憶部２２１には、ＣＰＵ２２４が読み出して実行するためのプログラムが格納されている。また、ＲＡＭ２２２は、ＣＰＵ２２４が記憶部２２１から読み出したデータを一次的に記憶する。入力部２２３は、監視装置２１１を使用するオペレータの入力を受け付ける。ＣＰＵ２２４は、各部を制御する。ＣＰＵ２２４は、記憶部２２１からプログラムを読み出して実行することにより、判定部２２５として機能する。
【００３４】
判定部２１５は、後述する抽出装置１によって抽出された既監視ポンプユニット種類識別情報で特定される既監視ポンプユニットにおいて計測された状態量の計測データまたは当該状態量同士の相関と、診断システム２１０が有する計測器（例えば、温度計ＴＳ３、温度計ＴＳ４、圧力計ＰＳ２）において計測された状態量または当該状態量同士の相関とを用いて、新監視ポンプユニットの故障または異常を判定する。
【００３５】
なお、監視装置１１１の構成は、監視装置２１１の構成と同様であるため、その詳細な説明を省略する。
【００３６】
続いて、抽出システムの一例である本実施形態に係る抽出装置１の構成について説明する。図５は、本実施形態に係る抽出装置１の構成を示す概略ブロック図である。図５に示すように、抽出装置１は、記憶部１１、ＲＡＭ（Random Access Memory）１２、入力部１３、及びＣＰＵ１４を備える。各部は、互いにバスを介して接続されている。
記憶部１１には、ＣＰＵ１４が読み出して実行するためのプログラムが格納されている。また、記憶部１１には、既に監視対象となっているポンプユニットである既監視ポンプユニットの種類を識別する既監視ポンプユニット種類識別情報が記憶されている。また、ＲＡＭ１２は、ＣＰＵ１４が記憶部１１から読み出したデータを一次的に記憶する。入力部１３は、抽出装置１を使用するオペレータの入力を受け付ける。例えば、入力部１３は、新たに監視対象とするポンプユニットである新監視ポンプユニットについてポンプユニットの種類を識別する新監視ポンプユニット種類識別情報の入力を受け付ける。ＣＰＵ１４は、各部を制御する。ＣＰＵ１４は、記憶部１１からプログラムを読み出して実行することにより、抽出部１５として機能する。
【００３７】
抽出部１５は、入力部１３が受け付けた新監視ポンプユニット種類識別情報を用いて、記憶部１１から、新監視ポンプユニットと同一の種類の既監視ポンプユニットを識別する既監視ポンプユニット種類識別情報を抽出する。
【００３８】
また記憶部１１には、既監視ポンプユニットそれぞれについて、既監視ポンプユニット種類識別情報と当該既監視ポンプユニットが設置された河川系を識別する情報とが関連付けられて記憶されている。また入力部１３は、例えば、新監視ポンプユニットが設置された河川系を識別する情報を受け付ける。その場合、抽出部１５は、入力部１３が受け付けた情報を用いて記憶部１１を参照することにより、新監視ポンプユニットと同一の種類の既監視ポンプユニットであり、且つ新監視ポンプユニットが設置された河川系と同一の河川系にある既監視ポンプユニットを識別する既監視ポンプユニット種類識別情報を優先して抽出してもよい。
【００３９】
更に、抽出部１５は、新監視ポンプユニットが設置された地域、新監視ポンプユニットが設置された山岳系、または新監視ポンプユニットが設置された河川系からの距離を基準に、別の河川系を選択してもよい。そして、抽出部１５は、記憶部１１を参照して選択した別の河川系に設置され且つ新監視ポンプユニットと同一の種類の既監視ポンプユニットを識別する既監視ポンプユニット種類識別情報を抽出してもよい。これらの一連の処理は、新監視ポンプユニットが設置された河川系と同一の河川系に、新監視ポンプユニットと同一の種類の既監視ポンプユニットがある場合に行われてもよいし、ない場合に行われてもよい。
【００４０】
また記憶部には、既監視ポンプユニットそれぞれについて、既監視ポンプユニット種類識別情報と当該既監視ポンプユニットに含まれる原動機の出力を示す情報とが関連付けられて記憶されている。また入力部１３は、例えば、新監視ポンプユニットに含まれる原動機の出力を示す情報を更に受け付ける。その場合、抽出部１５は、入力部１３が受け付けた情報を用いて、新監視ポンプユニットと同一の種類の既監視ポンプユニットのうち、当該既監視ポンプユニットに含まれる原動機の出力と新監視ポンプユニットに含まれる原動機の出力の比較に応じて、優先して抽出する既監視ポンプユニット種類識別情報を決定する。具体的には例えば、抽出部１５は、既監視ポンプユニット種類識別情報を抽出する際に、入力部１３が受け付けた情報を用いて、新監視ポンプユニットと同一の種類の既監視ポンプユニットのうち、当該既監視ポンプユニットに含まれる原動機の出力が新監視ポンプユニットに含まれる原動機の出力に近いほど上位に、当該既監視ポンプユニットを順位付けしてもよい。
【００４１】
続いて、図６を用いて、ポンプユニットの種類について説明する。図６は、ポンプユニットの種類を示す図である。図６において、ポンプユニット種類識別情報毎に、そのポンプユニットの構成が示されている。ここでポンプユニット種類識別情報は、ポンプユニットの種類を識別する情報である。すなわち、本実施形態では一例として、同一の種類のポンプユニットとは、ポンプユニット種類識別情報が同一のポンプユニットのことである。
【００４２】
例えば、ポンプユニット種類識別情報が０１の場合、ポンプユニットは、ポンプ軸形式が立軸で原動機の種類がディーゼル機関で減速機が有るという構成である。ポンプユニット種類識別情報が０２の場合、ポンプユニットは、ポンプ軸形式が立軸で原動機の種類がガスタービンで減速機が有るという構成である。ポンプユニット種類識別情報が０３の場合、ポンプユニットは、ポンプ軸形式が立軸で原動機の種類が電動機で減速機が有るという構成である。
【００４３】
ポンプユニット種類識別情報が０４の場合、ポンプユニットは、ポンプ軸形式が立軸で原動機の種類がガスタービンで減速機が無いという構成である。ポンプユニット種類識別情報が０５の場合、ポンプユニットは、ポンプ軸形式が立軸で原動機の種類が電動機で減速機が無いという構成である。ポンプユニット種類識別情報が０６の場合、ポンプユニットは、ポンプ軸形式が立軸で原動機の種類が電動機で減速機が有るという構成である。
【００４４】
ポンプユニット種類識別情報が０７の場合、ポンプユニットは、ポンプ軸形式が横軸で原動機の種類がディーゼル機関で減速機が有るという構成である。ポンプユニット種類識別情報が０８の場合、ポンプユニットは、ポンプ軸形式が横軸で原動機の種類がガスタービンで減速機が有るという構成である。ポンプユニット種類識別情報が０９の場合、ポンプユニットは、ポンプ軸形式が横軸で原動機の種類が電動機で減速機が有るという構成である。ポンプユニット種類識別情報が１０の場合、ポンプユニットは、ポンプ軸形式が横軸で原動機の種類が電動機で減速機が無いという構成である。
【００４５】
続いて、図７を用いて、同一の河川系、１番目に近い河川系及び２番目に近い河川系について説明する。図７は、同一の河川系、１番目に近い河川系及び２番目に近い河川系の模式図の一例である。ここで、一つの河川系は、本川と、本川に合流した支川と、本川から分岐した支川とを含む。図７では、一例としてＡポンプ場に新たに監視装置を設ける場合を想定する。この場合、この新たに設ける監視装置がデータ移植先になる。新監視ポンプユニットは、例えば、Ａポンプ場に設置された全てのポンプユニットである。
【００４６】
新監視ポンプユニットが設置された河川系に近い河川系は、新監視ポンプユニットが設置された地域、新監視ポンプユニットが設置された山岳系、または新監視ポンプユニットが設置された河川系からの距離のいずれかを基準に選択される。ここで、新監視ポンプユニットが設置された地域を基準に選択される場合、当該新監視ポンプユニットが設置された地域から距離が近い地域から順に、当該地域にある河川系が選択される。新監視ポンプユニットが設置された山岳系を基準に選択される場合、当該新監視ポンプユニットが設置された山岳系から距離が近い山岳系から順に、当該山岳系にある河川系が選択される。新監視ポンプユニットが設置された河川系からの距離を基準に選択される場合、例えば、当該新監視ポンプユニットが設置された河川の河口から距離が近い河口から順に、当該河口を有する河川を含む河川系が選択される。
【００４７】
本実施形態では一例として、新監視ポンプユニットが設置された河川系に近い河川系は、新監視ポンプユニットが設置された河川の河口と他の河川系の河口との間の距離を基準に選択されるものとする。具体的には、Ａポンプ場が設置されたＥ川の河口から最も近い河口を有するＩ川を含む河川系が１番目に近い河川系に選択される。そして、ポンプ場が設置されたＥ川の河口から２番目に近い河口を有するＬ川を含む河川系が２番目に近い河川系に選択される。
【００４８】
図７のようにＡポンプ場に新たに監視装置を設ける場合において、入力部１３は図８に示す情報を受け付ける。図８は、入力部１３が受け付ける情報の一例である。図８に示すように、入力部１３が受け付ける情報は、機場名が「Ａポンプ場」で、支川が「Ａ川」で、本川が「Ｅ川」で、原動機出力が「２００ｋＷ」である。ここでは、便宜上、Ａポンプ場には、ポンプユニット種類識別情報が０１の種類のポンプのみがあるものとして説明する。
【００４９】
図９は、記憶部１１に記憶されているテーブルＴ１の一例である。図９に示すように、テーブルＴ１において、同一の河川系の本川、１番目に近い河川系の本川、２番目に近い河川系の本川、…の組のレコードが格納されている。項目「同一の河川系の本川」が同一の河川系を識別する情報の一例であり、項目「１番目に近い河川系の本川」は、１番目に近い河川系を識別する情報の一例であり、項目「２番目に近い河川系の本川」は、２番目に近い河川系を識別する情報の一例である。これにより、図７のように、Ａポンプ場が設置された河川系がＥ川を本川とする河川系の場合、抽出部１５は、１番目に近い河川系はＩ川を本川とする河川系であり、２番目に近い河川系はＬ川を本川とする河川系であると判断することができる。
【００５０】
図１０は、記憶部１１に記憶されているテーブルＴ２の一例である。図１０に示すように、テーブルＴ２において、機場名、既監視ポンプユニット種類識別情報、支川、本川、原動機出力、及びその他の情報の組のレコードが、ポンプユニット毎に格納されている。ここで、項目「本川」は、河川系を識別する情報の一例である。図７の場合には、Ａポンプ場が設置された河川系がＥ川を本川とする河川系であるので、抽出部１５は、テーブルＴ２において本川がＥ川のレコードを同一の河川系のデータとして抽出する。また、テーブルＴ１から１番目に近い河川系はＩ川を本川とする河川系であるので、抽出部１５は、テーブルＴ２において本川がＩ川のレコードを１番目に近い河川系のデータとして抽出する。また、テーブルＴ１から２番目に近い河川系は川を本川とする河川系であるので、抽出部１５は、テーブルＴ２において本川がＬ川のレコードを２番目に近い河川系のデータとして抽出する。
【００５１】
以上の構成を有する抽出装置１の動作の一例について図１１及び図１２を用いて説明する。図１１は、第１の実施形態に係る抽出装置１の動作の一例を示すフローチャートである。図１２は、図１１の処理の結果の一例を示す表である。
【００５２】
（ステップＳ１０１）まず、図１１において、抽出部１５は、Ａポンプ場が設置された河川系と同一の河川系のポンプ場に同一の種類のポンプユニットがあるか否か判定する。
【００５３】
（ステップＳ１０２）抽出部１５は、ステップＳ１０１でＡポンプ場が設置された河川系と同一の河川系のポンプ場に同一の種類のポンプユニットがあると判定した場合、同一の種類のポンプユニットのうち、新監視ポンプユニットの原動機出力２００ｋＷ（図８参照）に原動機出力が近いものから順にテーブルＴ２からデータを抽出する。そして、抽出部１５は、抽出したデータを、データ移植候補として原動機出力の近いものから順に順位付けする。これにより、図８に示すように新監視ポンプユニット種類識別情報「０１」であるので、図１０において、既監視ポンプユニット種類識別情報が「０１」であるポンプユニットであるＢポンプ場、Ｃポンプ場、Ｄポンプ場のうち、原動機出力が新監視ポンプユニットの原動機出力に近いものから順に、Ｃポンプ場、Ｂポンプ場、Ｄポンプ場がテーブルＴ２から抽出される。そして、図１２に示すように、Ｃポンプ場が１位、Ｂポンプ場が２位、Ｄポンプ場が３位に順位付けされる。次に、処理がステップＳ１０３に進む。
【００５４】
（ステップＳ１０３）ステップＳ１０１でＡポンプ場が設置された河川系と同一の河川系のポンプ場に同一の種類のポンプユニットがないと判定された場合またはステップＳ１０２の処理が終了した場合、以下の処理が行われる。すなわち、抽出部１５は、Ａポンプ場が設置された河川系に１番目に近い河川系内のポンプ場に同一の種類のポンプユニットがあるか否か判定する。
【００５５】
（ステップＳ１０４）抽出部１５は、ステップＳ１０３でＡポンプ場が設置された河川系に１番目に近い河川系内のポンプ場に同一の種類のポンプユニットがあると判定した場合、同一の種類のポンプユニットのうち、新監視ポンプユニットの原動機出力２００ｋＷ（図８参照）に原動機出力が近いものから順にテーブルＴ２からデータを抽出する。そして、抽出部１５は、抽出したデータを、データ移植候補として原動機出力の近いものから順に順位付けする。これにより、図８に示すように新監視ポンプユニット種類識別情報「０１」であるので、図１０において、既監視ポンプユニット種類識別情報が「０１」であるポンプユニットであるＦポンプ場、Ｇポンプ場のうち、原動機出力が新監視ポンプユニットの原動機出力に近いものから順に、Ｇポンプ場、Ｆポンプ場がテーブルＴ２から抽出される。そして、図１２に示すように、Ｇポンプ場が４位、Ｆポンプ場が５位に順位付けされる。次に、処理がステップＳ１０４に進む。
【００５６】
（ステップＳ１０５）ステップＳ１０３でＡポンプ場が設置された河川系に１番目に近い河川系内のポンプ場に同一の種類のポンプユニットがないと判定された場合、またはステップＳ１０４の処理が終了した場合、以下の処理が行われる。すなわち、抽出部１５は、Ａポンプ場が設置された河川系に２番目に近い河川系内のポンプ場に同一の種類のポンプユニットがあるか否か判定する。
【００５７】
（ステップＳ１０６）抽出部１５は、ステップＳ１０５でＡポンプ場が設置された河川系に２番目に近い河川系内のポンプ場に同一の種類のポンプユニットがあると判定した場合、同一の種類のポンプユニットのうち、新監視ポンプユニットの原動機出力２００ｋＷ（図８参照）に原動機出力が近いものから順にテーブルＴ２からデータを抽出する。そして、抽出部１５は、抽出したデータを、データ移植候補として原動機出力の近いものから順に順位付けする。これにより、図８に示すように新監視ポンプユニット種類識別情報「０１」であるので、図１０において、既監視ポンプユニット種類識別情報が「０１」であるポンプユニットであるＪポンプ場がテーブルＴ２から抽出される。そして、図１２に示すように、Ｊポンプ場が６位に順位付けされる。次に、処理がステップＳ１０７に進む。
【００５８】
（ステップＳ１０７）以下、抽出部１５は、同様のステップを繰り返してデータを全て順位付けする。
【００５９】
このように図１１のフローチャートに示す処理が実行されることにより、図１２の表が得られる。抽出装置１のオペレータは、順位が１位となったＣポンプ場のポンプユニットを移植元のポンプユニットとして決定することができる。そして、オペレータは、Ｃポンプ場の既監視ポンプユニット種類識別情報が「０１」且つ原動機出力「２５０ｋＷ」のポンプユニットのデータを、Ｃポンプ場の監視装置からＡポンプ場の監視装置に移植することができる。ここで、移植方法としては、電子媒体（ＵＳＢメモリー、ＳＤカード等）によりデータ移植するでもよいし、インターネットを構築し、クラウド等の中でデータベース化されたポンプユニットの中から類似のものを移植してもよい。
【００６０】
移植対象のデータは、例えば、（１）運転日時及び／または時間と各測定データの組み、（２）測定データ同士の相関関数、（３）測定データなどが含まれる。測定データは、各種温度（各機器の冷却水、潤滑油）、室温、外気温度、各種圧力（ポンプ吐出圧、各機器の潤滑油圧）、各種振動（各機器の軸受、胴体、架台）、などである。
【００６１】
例えば、各種測定データを移植した場合、ポンプ場の作業員は、運用開始時などに、移植元のポンプユニットの初期値と、移植先での実測データの初期値などを比較することにより、初期異常を判断することができる。また、例えば、各種相関値を移植した場合、ポンプ場の作業員は、移植元のポンプユニットにおける相関係数と、移植先で実測されたデータによる相関係数とを比較することにより、実測データの変位または傾向が良好か、何かしら異常を有する可能性があるか、判断することができる。
【００６２】
本実施形態によれば、抽出部１５は、入力部１３が受け付けた新監視ポンプユニット種類識別情報を用いて、記憶部１１から新監視ポンプユニットと同一の種類の既監視ポンプユニットを識別する既監視ポンプユニット種類識別情報を抽出する。これにより、新たに監視対象とする新監視ポンプユニットと同一の種類の既監視ポンプユニットを容易に抽出することができる。
【００６３】
その抽出の際、抽出部１５は、一例として、新監視ポンプユニットと同一の種類の既監視ポンプユニットであり、且つ新監視ポンプユニットが設置された河川系と同一の河川系にある既監視ポンプユニットを識別する既監視ポンプユニット種類識別情報を抽出する。これにより、新たに監視対象とするポンプユニットと、運用条件が近い既監視ポンプユニットを容易に抽出することができる。ここで、運用条件とは、気候及び／またはポンプが運転する時期などである。
【００６４】
あるいは、抽出部１５は、一例として、新監視ポンプユニットが設置された地域、新監視ポンプユニットが設置された山岳系、または新監視ポンプユニットが設置された河川系からの距離を基準に別の河川系を選択し、選択した別の河川系に設置され且つ新監視ポンプユニットと同一の種類の既監視ポンプユニットを識別する既監視ポンプユニット種類識別情報を抽出する。これにより、新たに監視対象とするポンプユニットと、運用条件が近い既監視ポンプユニットを容易に抽出することができる。
【００６５】
そして、抽出した既監視ポンプユニットの状態量の計測データまたは各状態量同士の相関係数を、新たに監視対象とするポンプユニットを監視する監視装置に移植することができる。
【００６６】
これにより、当該監視装置では、既監視ポンプユニットにおいて計測された状態量の計測データまたは当該状態量同士の相関と、新監視ポンプユニットにおいて計測された状態量または当該状態量同士の相関とを用いて、新監視ポンプユニットの故障または異常を判定することができる。このため、新たに監視対象とするポンプユニットについて、実運転でのデータ蓄積を行わずとも、監視当初から新監視ポンプユニットの故障または異常を検知することができる。
【００６７】
（第２の実施形態）
続いて、第２の実施形態について説明する。第１の実施形態では、抽出部１５は、新監視ポンプユニットと同一の種類の既監視ポンプユニットであり、且つ新監視ポンプユニットが設置された河川系と同一の河川系にある既監視ポンプユニットを識別する既監視ポンプユニット種類識別情報を最優先して抽出した。そして、抽出部１５は、新監視ポンプユニットが設置された河川系とは別の河川系のうち、新監視ポンプユニットが設置された河川系からの距離が近いほど優先して選択し、選択した別の河川系に設置され且つ新監視ポンプユニットと同一の種類の既監視ポンプユニットを識別する既監視ポンプユニット種類識別情報を次に優先して抽出した。
【００６８】
第２の実施形態では、抽出部１５は、入力部１３が受け付けた情報を用いて、新監視ポンプユニットと同一の種類の既監視ポンプユニットのうち、当該既監視ポンプユニットに含まれる原動機の出力と新監視ポンプユニットに含まれる原動機の出力の比較に応じて、優先して抽出する既監視ポンプユニット種類識別情報を決定する。具体的には、抽出部１５は、新監視ポンプユニットと同一の種類の既監視ポンプユニットのうち、当該既監視ポンプユニットに含まれる原動機の出力が新監視ポンプユニットに含まれる原動機の出力に近いほど優先して、当該既監視ポンプユニットを識別する既監視ポンプユニット種類識別情報を抽出する。第２の実施形態に係る抽出装置１の他の構成は、第１の実施形態の抽出装置１の構成と同様であるので、その説明を省略する。
【００６９】
以上の構成を有する第２の実施形態に係る抽出装置１の動作の一例について図１３及び図１４を用いて説明する。図１３は、第２の実施形態に係る抽出装置１の動作の一例を示すフローチャートである。図１４は、図１３の処理の結果の一例を示す表である。
【００７０】
（ステップＳ２０１）まず、図１３において、抽出部１５は、Ａポンプ場が設置された河川系と同一の河川系のポンプ場に同一の種類のポンプユニットがあるか否か判定する。
【００７１】
（ステップＳ２０２）抽出部１５は、ステップＳ２０１でＡポンプ場が設置された河川系と同一の河川系のポンプ場に同一の種類のポンプユニットがあると判定した場合、同一の種類のポンプユニットデータをテーブルＴ２から抽出する。これにより、図８に示すように新監視ポンプユニット種類識別情報「０１」であるので、図１０において、既監視ポンプユニット種類識別情報が「０１」であるポンプユニットであるＢポンプ場、Ｃポンプ場、Ｄポンプ場のデータがテーブルＴ２から抽出される。
【００７２】
（ステップＳ２０３）ステップＳ２０１でＡポンプ場が設置された河川系と同一の河川系のポンプ場に同一の種類のポンプユニットがないと判定された場合またはステップＳ２０２の処理が終了した場合、以下の処理が行われる。すなわち、抽出部１５は、Ａポンプ場が設置された河川系に１番目に近い河川系内のポンプ場に同一の種類のポンプユニットがあるか否か判定する。
【００７３】
（ステップＳ２０４）抽出部１５は、ステップＳ２０３でＡポンプ場が設置された河川系に１番目に近い河川系内のポンプ場に同一の種類のポンプユニットがあると判定した場合、同一の種類のポンプユニットのデータをテーブルＴ２から抽出する。これにより、図８に示すように新監視ポンプユニット種類識別情報「０１」であるので、図１０において、既監視ポンプユニット種類識別情報が「０１」であるポンプユニットであるＦポンプ場、Ｇポンプ場のデータがテーブルＴ２から抽出される。
【００７４】
（ステップＳ２０５）ステップＳ２０３でＡポンプ場が設置された河川系に１番目に近い河川系内のポンプ場に同一の種類のポンプユニットがないと判定された場合、またはステップＳ２０４の処理が終了した場合、以下の処理が行われる。すなわち、抽出部１５は、Ａポンプ場が設置された河川系に２番目に近い河川系内のポンプ場に同一の種類のポンプユニットがあるか否か判定する。
【００７５】
（ステップＳ２０６）抽出部１５は、ステップＳ２０５でＡポンプ場が設置された河川系に２番目に近い河川系内のポンプ場に同一の種類のポンプユニットがあると判定した場合、同一の種類のポンプユニットのデータをテーブルＴ２から抽出する。これにより、図８に示すように新監視ポンプユニット種類識別情報「０１」であるので、図１０において、既監視ポンプユニット種類識別情報が「０１」であるポンプユニットであるＪポンプ場のデータがテーブルＴ２から抽出される。
【００７６】
（ステップＳ２０７）以下、抽出部１５は、同様のステップを繰り返す。
【００７７】
（ステップＳ２０８）以下、抽出部１５は、新監視ポンプユニットの原動機出力に原動機出力が近いものから順に、抽出されたデータを順位付けする。これにより、図１２に示すように、Ｇポンプ場、Ｃポンプ場、Ｆポンプ場、Ｊポンプ場、Ｂポンプ場、Ｄポンプ場の順で順位付けされる。
【００７８】
このように図１３のフローチャートに示す処理が実行されることにより、図１４の表が得られる。抽出装置１のオペレータは、順位が１位となったＧポンプ場のポンプユニットを移植元のポンプユニットに決定することができる。そして、オペレータは、Ｇポンプ場の既監視ポンプユニット種類識別情報が「０１」且つ原動機出力「２４０ｋＷ」のポンプユニットのデータを、Ｇポンプ場の監視装置からＡポンプ場の監視装置に移植することができる。
【００７９】
以上、第２の実施形態によれば、抽出部１５は、当該既監視ポンプユニットに含まれる原動機の出力が新監視ポンプユニットに含まれる原動機の出力に近いほど上位に、当該既監視ポンプユニットを順位付けする。これにより、既監視ポンプユニットに含まれる原動機の出力が新監視ポンプユニットに含まれる原動機の出力に近いほど上位に、当該既監視ポンプユニットを順位付けされるので、新監視ポンプユニットと原動機の出力がより近い既監視ポンプユニットを容易に抽出することができる。
【００８０】
なお、各実施形態において、抽出装置１は、記憶部１１及び入力部１３を備えるとしたが、これに限らず、別の情報処理装置が記憶部１１及び／または入力部１３を備えていてもよいし、記憶部１１及び／または入力部１３は単体の装置として電気配線を介して抽出装置１に接続されていてもよい。このように、一台の抽出装置１からなる抽出システムとして実装されてもよいし、複数の情報処理装置からなる抽出システムとして実装されてもよい。
【００８１】
各実施形態においてポンプユニットが同一の種類とは一例として、ポンプ軸形式、原動機の種類及び減速機の有無の組み合わせが同一あるものとしたが、これに限ったものではない。同一の種類の範囲については、抽出システムの設計者が適宜同一の範囲を決定してもよい。例えば、同一の種類のポンプユニットは、ポンプ軸形式と原動機の種類の組み合わせが同一のものであるとしてもよいし、ポンプ軸形式が同一のものであるとしてもよいし、原動機の種類が同一のものであるとしてもよい。
【００８２】
また、各実施形態の抽出装置１の各処理を実行するためのプログラムをコンピュータ読み取り可能な記録媒体に記録して、当該記録媒体に記録されたプログラムをコンピュータシステムに読み込ませ、プロセッサが実行することにより、各実施形態の抽出装置１に係る上述した種々の処理を行ってもよい。
【００８３】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００８４】
１：抽出装置、１１、２２１：記憶部、１２、２２２：ＲＡＭ、１３、２２３：入力部、１４、２２４：ＣＰＵ、１５：抽出部、１００、２００：ポンプ機場、１０１、２０１：ディーゼル機関、１０２、２０２：減速機、１０３、２０３：縦軸斜流ポンプ、１０４、２０４：吐出弁、１０５、２０５：逆流防止弁、１０６：冷却塔、１１０、２１０：診断システム、１１１、２１１：監視装置、１１２、２１２：表示装置、２０６：ラジエータ、２２５：判定部、ＤＴ１、ＤＴ２：吐出水槽、ＳＴ１、ＳＴ２：吸込水槽、ＴＳ１、ＴＳ２、ＴＳ３、ＴＳ４：温度計、ＰＳ１、ＰＳ２：圧力計
【図１】
0006675856.tif 000002
【図２】
0006675856.tif 000003
【図３】
0006675856.tif 000004
【図４】
0006675856.tif 000005
【図５】
0006675856.tif 000006
【図６】
0006675856.tif 000007
【図７】
0006675856.tif 000008
【図８】
0006675856.tif 000009
【図９】
0006675856.tif 000010
【図１０】
0006675856.tif 000011
【図１１】
0006675856.tif 000012
【図１２】
0006675856.tif 000013
【図１３】
0006675856.tif 000014
【図１４】
0006675856.tif 000015